(57)【要約】【課題】本発明の目的は、配管、例えば長尺本管や配管用の継手を取り外すことなく、配管の内部を清掃して、配管の内部に沈殿した異物を除去することができる配管部品を提供することにある。【解決手段】配管において長尺本管同士を継合するために使用する継手であり、本管と、第一側管と第二側管からなる配管用の継手であって、第一側管は本管の下流側で、その上面の位置に接合し、第二側管は本管の上流側で、その下面の位置に接合し、該第一側管と第二側管の接合した位置は前記本管に対して互いに反対側で、対向する位置にあり、第一側管の中心線を延長した軸線と第二側管の中心線を延長した軸線は互いに平行であり、第一側管と第二側管は、その前記軸線と本管の中心線を延長した軸線が所定の角度をなして傾斜させ本管に接合した配管用の継手である。【選択図】図１
2006057741.tif 000002
【特許請求の範囲】
【請求項１】
配管において長尺本管同士を継合するために使用する継手であり、本管と、第一側管と、第二側管からなる配管用の継手であって、第一側管は、本管の下流側で、その本管の上面の位置に接合し、第二側管は、本管の上流側で、その本管の下面の位置に接合し、該第一側管と第二側管の接合した位置は、前記本管に対して互いに反対側で、対向する位置にあり、第一側管の中心線を延長した軸線と第二側管の中心線を延長した軸線は互いに平行であり、第一側管と第二側管は、その前記軸線と本管の中心線を延長した軸線が所定の角度をなして傾斜させ本管に接合したことを特徴とする配管用の継手。
【請求項２】
前記第一側管と第二側管の接合した位置は、該第一側管の手前側の内壁面の本管と接合した位置と、前記第二側管の奥側の内壁面の本管と接合した位置が前記両方の側管の内壁面と一直線上になる位置で互いに本管に接合したことを特徴とする請求項１記載の配管用の継手。
【請求項３】
前記所定の角度は、４５°をなして傾斜させ本管に接合したことを特徴とする請求項１、又は２記載の配管用の継手。
【請求項４】
前記第一側管の開放端に着脱可能な蓋を設けてなることを特徴とする請求項１乃至３のいずれか１項記載の配管用の継手。
【請求項５】
前記第二側管の途中に開閉自在なバルブを設けてなることを特徴とする請求項１乃至４のいずれか１項記載の配管用の継手。
【請求項６】
長尺本管と、該長尺本管を継合する継手からなる配管において、請求項１乃至５のいずれか１項記載の配管用の継手を用いたことを特徴とする配管。
【発明の詳細な説明】
【技術分野】
【０００１】
本発明は、配管用の継手及びそれを用いた配管に関する。
【背景技術】
【０００２】
通常、生産装置内、又は生産ライン内では、水溶性の薬品を用いて加工処理、又は純水等による洗浄処理等が連続して行われている。新液の供給、旧液の排出等は配管を付設し、該配管の内部を介して自動的に給排することにより行う。配管内は加圧により配送先まで当該の排水等を輸送するため、配管内は、運転中、密閉状態にする必要があり、その維持管理に手間が掛かる問題がある。特に、排水処理の系統の配管に問題、例えば清掃作業等、が多くある。
【０００３】
前記維持管理において、例えば、排水用の配管の内部に異物が沈殿した場合、予め点検口を設置して、清掃時毎に点検口より、棒状の清掃道具を押し込んで、沈殿物を下流に送り出して、排出するというような方法で配管の内部を清掃することが一般的であった。
【０００４】
又は、排水管の長尺本管の接合部のユニオンナットの部分を外して、長尺本管の内部の沈殿物を掻き出して、除去する清掃方法も行なわれている。
【０００５】
図４は、従来の配管を説明する部分拡大の斜視図である。図４に示す部分図は、長尺本管（１０）と、継手とが付設されている。継手は、ユニオン継手（２０）である。長尺本管（１０）は、必要な内径を持つパイプ状の配管であり、その長さは１〜４ｍ／本である。長尺本管（１０）を固設した後、長尺本管（１０）間をユニオン継手（２０）により連結して、配管が付設される。
【０００６】
上述した沈殿物を除去する清掃作業では、以下の問題がある。まず、点検口よりの清掃の場合、沈殿物の除去において、完全に沈殿物を除去できない問題がある。そのため、清掃頻度が多くなり、その維持管理が不十分な状態で運転するため、機能面で、目標のレベルを維持することができない問題がある。
【０００７】
次いで、配管を外しての清掃作業では、以下の問題がある。まず、ユニオン継手（２０）を外す作業に手間がかかる。ユニオン継手（２０）を外すときに、長尺本管（１０）が重い。ユニオン継手（２０）を外すときに、その部分から沈殿物が漏れ出て、付近が汚れる。配管の内部の清掃が完了した後に、ユニオン継手（２０）を再度連結するが、ユニオン継手（２０）が完全に締まっていないと、その部分から水漏れが発生することがある。
【０００８】
配管の清掃作業の問題点を解決する提案がなされている。例えば配管を連結する場合、その連結角度を可変とし、適宜調整する継手等の提案である（特許文献１参照）。
【０００９】
以下に公知文献を記す。
【特許文献１】特開平５―２４８５８０号公報
【発明の開示】
【発明が解決しようとする課題】
【００１０】
本発明の目的は、配管、例えば長尺本管や配管用の継手を取り外すことなく、配管の内部を清掃して、配管の内部に沈殿した異物を除去することができる配管部品を提供することにある。
【課題を解決するための手段】
【００１１】
本発明の請求項１に係る発明は、配管において長尺本管同士を継合するために使用する継手であり、本管と、第一側管と、第二側管からなる配管用の継手であって、第一側管は、本管の下流側で、その本管の上面の位置に接合し、第二側管は、本管の上流側で、その本管の下面の位置に接合し、該第一側管と第二側管の接合した位置は、前記本管に対して互いに反対側で、対向する位置にあり、第一側管の中心線を延長した軸線と第二側管の中心線を延長した軸線は互いに平行であり、第一側管と第二側管は、その前記軸線と本管の中心線を延長した軸線が所定の角度をなして傾斜させ本管に接合したことを特徴とする配管用の継手である。
【００１２】
次に、本発明の請求項２に係る発明は、前記第一側管と第二側管の接合した位置は、該第一側管の手前側の内壁面の本管と接合した位置と、前記第二側管の奥側の内壁面の本管と接合した位置が前記両方の側管の内壁面と一直線上になる位置で互いに本管に接合したことを特徴とする請求項１記載の配管用の継手である。
【００１３】
次に、本発明の請求項３に係る発明は、前記所定の角度は、４５°をなして傾斜させ本管に接合したことを特徴とする請求項１、又は２記載の配管用の継手である。
【００１４】
次に、本発明の請求項４に係る発明は、前記第一側管の開放端に着脱可能な蓋を設けてなることを特徴とする請求項１乃至３のいずれか１項記載の配管用の継手である。
【００１５】
次に、本発明の請求項５に係る発明は、前記第二側管の途中に開閉自在なバルブを設けてなることを特徴とする請求項１乃至４のいずれか１項記載の配管用の継手である。
【００１６】
次に、本発明の請求項６に係る発明は、長尺本管と、該長尺本管を継合する継手からなる配管において、請求項１乃至５のいずれか１項記載の配管用の継手を用いたことを特徴とする配管である。
【発明の効果】
【００１７】
請求項１に係る発明によれば、第一側管から清掃道具を挿入し、長尺本管まで通すことにより、配管内の沈殿物を押し動かし、その下流にある継手の第二側管から沈殿物を排出することができるので、配管を取り外すことなく、配管の内部を清掃して、配管の内部に沈殿した異物を除去することができる。
【００１８】
請求項２に係る発明によれば、配管の内部を清掃した後に、各々配管用の継手の本管及び第一側管及び第二側管の配管の内部に沈殿物を残すことを防止することができるので、配管を取り外すことなく、より徹底的に配管の内部を清掃して、配管の内部に沈殿した異物を除去することができる。
【００１９】
請求項３に係る発明によれば、第一側管から清掃道具を挿入し、長尺本管まで通して、配管内の沈殿物を押し動かし、その下流にある継手の第二側管から沈殿物を排出する作業を、より容易に行うことができるので、配管を取り外すことなく、配管の内部の清掃作業を行い、配管の内部に沈殿した異物を除去することができる。
【００２０】
請求項４に係る発明によれば、配管の内部を清掃するときのみ第一側管の開放端の蓋を外すことができるので、配管を取り外すことなく、配管の内部を清掃作業が可能となり、配管の通常処理には影響を及ぼさない。
【００２１】
請求項５に係る発明によれば、配管の内部を清掃するときにのみ第二側管の途中のバル
ブを開放することができるので、配管を取り外すことなく、配管の内部を清掃作業が可能となり、配管の通常処理には影響を及ぼさない。
【００２２】
本発明の配管の清掃時では、配管用継手を外す必要がないため、清掃作業に手間がかからず、重量部品等の運搬などの重労働が省略され、清掃時間の大幅な短縮ができる。さらに、第二側管のバルブを開閉させ、沈殿物を装置外まで排出することができるため、その部分から沈殿物が漏れ出て付近が汚れることがない。
【発明を実施するための最良の形態】
【００２３】
本発明の配管用の継手を一実施形態に基づいて以下に説明する。
【００２４】
図１は、本発明の配管用の継手の一例を説明する概要図であり、（ａ）は、斜視図、（ｂ）は、側断面図である。
【００２５】
図１（ａ）は、本発明の配管用の継手（１）であり、中央に本管（２）と、該本管の上流側（２ａ）に第二側管（９）が、下流側（２ｂ）に第一側管（３）が接合されている。前記第一側管（３）には、該側管の開放端に着脱可能な蓋を備えている。前記第二側管（９）には、該側管の途中に開閉自在なバルブを備えている。なお、図中、前記蓋及びバルブは、省略した。本管の中心線を延長した軸線は、Ｏ―Ｏで示し、第一側管の中心線を延長した軸線は、ｓ―ｓで示し、第二側管の中心線を延長した軸線は、ｐ―ｐで示した。軸線ｘ−ｘは、第一側管（３）と、本管（２）と、第二側管（９）の中心点を結ぶ直線である。図１（ａ）に示すように、本管（２）の左側端が上流側（２ａ）であり、右側端が下流側（２ｂ）であり、本管内の流れは左より右へ流れる。前記本管（２）の両端（２ａ、２ｂ）は、長尺本管（１０）と連結する。
【００２６】
第一側管（３）の本管（２）との接合位置は、本管の中央部近傍から本管（２）右側端部までの間であり、即ち、本管の下流側の所定位置である。第二側管（９）の本管（２）との接合位置は、本管（２）の中央部近傍から本管左側端部までの間であり、即ち、本管の上流側の所定位置で、その本管に接合している。清掃時では、その本管の上面の位置に接合した第一側管（３）の開放端から、清掃道具が挿入され、第一側管（３）の内壁面に沿って押していき、本管（２）の内壁面に達して、さらに本管内壁面に沿って、底面に堆積した堆積物を下流側へ押し流し、下流側の直近の第二側管（９）から装置外へ排出する。従って、前記第一側管の内壁面に沿って押して本管内壁面到達までの配管内では、排出用である第二側管と交差すると清掃作業で不都合が発生する場合がある。上記の理由により、本管の上流側に排出用の第二側管が装備され、また、本管の下流側に清掃道具を挿入用の第一側管が装備されている。
【００２７】
図１（ｂ）は、図１（ａ）におけるｘ−ｘ側断面である。本管（２）と、前記第一側管（３）と、又は、第二側管（９）と接合した位置は、第一側管の手前側の内壁面（３ａ）と、第二側管の奥側の内壁面（９ａ）とが一直線上になる位置であり、第一側管の内壁面（３ａ）と第二側管の内壁面（９ａ）を延長した延長線上であり、互いに本管に接合した配管用の継手である。第一側管の中心線を延長した軸線（ｓ−ｓ）と、第二側管の中心線を延長した軸線（ｐ−ｐ）は、互いに平行である。第一側管と第二側管は、本管の中心線を延長した軸線（Ｏ―Ｏ）に対して、所定の角度をなして傾斜させ本管に接合した配管用の継手である。前記所定の角度は、４５度以下の鋭角が好ましい。
【００２８】
図１（ｃ）は、図１（ａ）におけるｘ−ｘ断面図である。第一側管（３）は、本管の上面の位置に接合し、本管（２）と、第一側管（３）の、及び第二側管（９）の接合した位置は、前記本管（２）に対して互いに反対側で、対向する位置である。第一側管（３）の開放端に着脱可能な蓋（４）が装備され、第二側管（９）の途中に開閉自在なバルブ（６
）が装備されている。
【００２９】
なお、前記の第一側管（３）が接合した本管の上面の位置は、本管（２）の最上位に限定するものでなく、左右に余裕があり、その程度は左右４５度、即ち、４５度〜１３５度の範囲で最適な位置を選択することが望ましい。従って、第一側管の位置が決まると必然的に第二側管の位置が決まり、該第二側管の位置が沈殿物を排出する位置として適当か否かを再度検討することが必要となる。
【００３０】
次に、本発明を具体的な実施例に従って説明する。
【実施例１】
【００３１】
本発明の配管用の継手を用いた排水用の配管の施工例の一例を説明する。図２は、本発明の配管の一例を説明する斜視図である。本発明の配管では、長尺本管（１０）と長尺本管（１０）との間に本発明の配管用の継手（１）を用いて連結されて付設した配管設備である。通常時、第一側管は蓋（４）で密封され、第二側管ではバルブ（６）が閉状態に閉められている。長尺本管内は所定の圧に加圧された排水があり、該内圧に耐える程度の強度を具備した蓋及びバルブである。実施例１の配管は、付設場所が高低差のある垂直配管、又は、沈殿物が堆積し難い範囲では従来の継手、例えばユニオン継手を使用し、清掃頻度が高い場所では本発明の配管用の継手を使用した（図示せず）。本発明の配管用の継手は、配管内の清掃時、簡単な方法で、短時間に、配管を運転しながら、堆積物を完全に除去することができるように工夫されている。例えば、清掃頻度が高い場所では、本管の内径を変え、流速に変化を付け、その近傍で、堆積させ、清掃場所を固定し、その清掃場所数を減少させる工夫をした。
【実施例２】
【００３２】
本発明の配管用の継手を用いた排水用の配管の清掃作業の実施例の一例を説明する。図３は、本発明の配管の清掃作業の方法を説明する斜視図である。
【００３３】
図３に示すように、最初に、第一側管（３）の上部の開放端の蓋（４）を外し、開放端の開放口より、配水管の長尺本管内に清掃道具を挿入する（ｓ１参照）。次に、清掃道具を下流方向へ、次ぎの継手の第二側管（９）まで押していき、沈殿物を下流方向へ押し出す（ｓ２参照）。次に、下流側の次ぎの継手の第二側管の途中の開閉自在なバルブを開放する（ｓ３参照）。次に、排出口より沈殿物を排出する（ｓ４参照）。なお、清掃道具は、例えば太い径の針金の先端に筒状の冶具を固着させ、該筒状の外周面にスポンジ等で覆い、配管の内部を傷つけないように保護したものである。なお、排出口となる第二側管の開放端に専用の沈殿物回収装置を設置する場合もある。上記の清掃作業ｓ１〜ｓ４を繰り返して、配管内の沈殿物を装置外へ除去、例えば、沈殿物回収装置へ放出した。清掃作業は、短時間に、作業負荷も無く、環境への影響の無く安全に終了した。
【図面の簡単な説明】
【００３４】
【図１】本発明の配管用の継手の一例を説明する概要図であり、（ａ）は、斜視図、（ｂ）は、側断面図である。
【図２】本発明の配管の一例を説明する斜視図である。
【図３】本発明の配管の清掃作業の方法を説明する斜視図である。
【図４】従来の配管の部分拡大の斜視図である。
【符号の説明】
【００３５】
１…（本発明の）継手
２…本管
２ａ…本管の上流側
２ｂ…本管の下流側
３…第一側管
３ａ…第一側管の手前側の内壁面
４…（開放端の）蓋
６…（途中の）開閉自在なバルブ
９…第二側管
９ａ…第二側管の奥側の内壁面
１０…長尺本管
２０…（従来の）ユニオン継手
【図１】
2006057741.tif 000003
【図２】
2006057741.tif 000004
【図３】
2006057741.tif 000005
【図４】
2006057741.tif 000006